(57)【要約】      （修正有）【目的】工作上の面倒さを極力減少させると共に、木製容器の特性を活かし、外観上、上下方向に膨らみを有した意匠的に温かな感じが得られるような小形容器の提供。【構成】全体が木製である縦長蓋付き容器において、板目板をその木裏を表面側として採用し、縦長方向にやや湾曲させた予め中間部の幅を広くして両端に向けやや湾曲しつつ僅か幅を狭くした周壁片１複数枚を、その周壁片１の縦長当接端面同士を短辺方向に適当手段にて接合させて、併せて多角形状の底板の周囲端面にも接合して立設することによって周壁５及び開口部を形成し、その開口部には嵌着する上蓋７を有して、全体の外観として外方へやや膨らみを有した形状と成る木製多角形容器。【選択図】図１
0003138448.tif 000002
【実用新案登録請求の範囲】
【請求項１】
木製縦長蓋付き容器において、板目板の木裏を表面側とし、縦長方向にやや湾曲させた予め中間部の幅を広くして両端に向けやや湾曲しつつ僅か幅を狭くした周壁片（１）複数枚を、該周壁片（１）の縦長当接端面（２）同士を短辺方向に接合し、併せて多角形状の底板（３）の周囲端面（４）にも接合立設することにより、周壁（５）と開口部（６）を形成させて、該開口部（６）には嵌着する上蓋（７）を有して、外観として外方へやや膨らみを有した形状と成ることを特徴とする木製多角形容器。
【請求項２】
同一形状の周壁片（１）複数枚を、正多角形状の底板（３）に接合立設させた請求項１記載の木製多角形容器。
【請求項３】
周壁片（１）の長さ方向の一端辺に、段差当接端面（８）を形成させて、底板（３）の周囲端面（４）に接合させた請求項１又は請求項２記載の木製多角形容器。
【請求項４】
採用木材の白木の侭にて完成品とした請求項１乃至請求項３のいずれかに記載の木製多角形容器。
【請求項５】
接合手段として、接着剤のみを用いて組立てた請求項１乃至請求項４のいずれかに記載の木製多角形容器。
【請求項６】
全体を適当な大きさのものとして、ペット用等の骨壷とした請求項１乃至請求項５のいずれかに記載の木製多角形容器。
【考案の詳細な説明】
【技術分野】
【０００１】  この考案は、蓋付きの小型木製容器であり、多角形で模様代わりに木目を表出させ、かつ、外方に膨らみを持った優雅な形状の容器に関するものである。
【背景技術】
【０００２】  容器はその収容物に適するように、その材質や形状において多種多彩である。この考案の容器は木製であるが、木材自体が有する性質を利用した容器も結構多く見受けられる。
すなわち、吸湿性なり触感、そして焼却しやすいとか、地中に埋めれば自然に腐食するなどの特性を利用したものである。
ただし、量産性においてはプラスチック製に劣るためか、木材の加工性の向上策において種々工夫したものが見受けられる。【０００３】  例えば、木製桶を作るのに、タガが乾燥して外れやすいことから、タガを不要とするために、縦長木片で周壁を筒状にする際に、その縦長木片の両隣に接する当接端面に細長い溝を堀って、そこに片条状の木片を挿通させて繋ぎ合わせ容器とした発明の名称「木製桶の構造」というものがある。（例えば、特許文献１参照。）。【０００４】  また、一般の容器ではなく、やがて焼却するか土中に埋めて自然腐敗させる骨壷用としたもので、その構成は柱形の中空缶体とする木製容器であり、上記例と同様な片条状の木片を繋ぐのに、溝と片条を設けて、それらを合致させて組立て用いる考案の名称「木製骨灰罐」というものがある。（例えば、特許文献２参照。）。【０００５】  同じく骨壷用とした木製容器であって、目的は、高温の骨を一時的に保有するために、木製容器の内壁に、耐熱性を確保する手段として砂粒状の石材を付着させたものである。その構成は、正多角形又は八角形とし、桐材を用いた発明の名称「骨箱」というものがある。（例えば、特許文献３参照。）。【０００６】  以上の先願３例は、いずれも外観上において、外周は上下方向には直線状とする筒体容器である。最初の「木製桶の構造」も直線状の桶である。これ等に対して、意匠上の面白さを狙って、外周をビア樽のように膨らみを持たせた木製容器がある。
これは、周壁を形成する個々の木片自体は、繋いで筒を構成するための短辺側の湾曲は上記各例と同じであるが、更に、上下の長さ方向でも湾曲させたものとしている。【０００７】  そして、前記の各例に似て、互いに当接させて周壁を形成する木片個々には、その長さ方向の当接端面の一方には細長い溝が、他方には細長い突条があるものとして、その突条を隣の木片の長溝に挿入して繋いでゆき樽状とする発明の名称「木製樽型小物容器」というものがある。（例えば、特許文献４参照。）。【０００８】  更に、外形的に曲線を要する容器として、自由にその曲線を演出できるように、小さな板材を円周状に並べ、その板材の並べる個数を変えることによって、円周の直径を異にしながら積み重ねて行き、結果として外観上曲線を得るようにした壷形にも成り得る発明の名称「木製容器」というものがある。（例えば、特許文献５参照。）。
【特許文献１】特開２００４−１６８４１２号公報（１頁、図２、図５）
【特許文献２】登録実用新案３０７５６７０号公報（２頁、図１、図３）
【特許文献３】特開２００２−２９１８２０号公報（２頁、図３）
【特許文献４】特開２００３−０６３５３０号公報（２頁、図１、図７）
【特許文献５】特開２００４−３３０７５１号公報（２頁、図１、図２）
【考案の開示】
【考案が解決しようとする課題】
【０００９】  上述の特許文献１は、確かに緩みがちなタガを不要とし得るが、縦長木片の当接端面に溝を掘ることや、そこに片条状の木片を挿通させる繋ぎ手段の作製が面倒である。
また、外観上は上下方向に直線的で意匠上面白味に欠ける。【００１０】  特許文献２は、土中での腐食消滅など木材の性質を利用した骨壷用としたものであるが、構成は上記例と同様に片条状の木片を繋ぐために、溝と片条を用いた点、繋ぎ手段の作製が面倒であり、また、外観上も上下方向に直線的で意匠上面白味に欠ける。【００１１】  特許文献３は、内壁の耐熱性確保策とした目的は勿論、外観上も正多角形又は八角形のように変化を求めているが、これも外観上、上下方向に直線的でやや面白味に欠ける。【００１２】  特許文献４にては、外観上、上下方向に膨らみを持った樽状となる容器であるが、木片個々の当接端面には細長い溝と細長い突条を必要としている点、工作が面倒である。【００１３】  特許文献５は、外観上自由な曲線を作れることは好ましいが、小さな板材を円周状に並べて行くこと自体が大変面倒な作業であり、コスト高とならざるを得ない。
以上詳記したように、この考案の目的は、上記のような工作上の面倒さを極力減少させると共に、木製容器の特性を活かし、かつ、外観上、上下方向にも膨らみを有した意匠的に温かな感じが得られるような小形容器とすることにある。
【課題を解決するための手段】
【００１４】  この考案の構成を、後出の各図面に基づき説明するが、これらの図面に於いては形を異にしていても機能上同一のものは、同一の符号として示した。また、引き出し線は、同一符号を付すべき全箇所に設けているとは限らなく、幾つかを代表的に選択した。【００１５】  全体が木製である縦長蓋付き容器において、図４に示すように、板目板をその木裏を表面側として採用し、縦長方向にやや湾曲させた予め中間部の幅を広くして両端に向けやや湾曲しつつ僅か幅を狭くした周壁片１複数枚を、その周壁片１の縦長当接端面２同士を短辺方向に適当手段にて接合させ、併せて図５に示すような多角形状の底板３の周囲端面４にも接合して立設することによって、図２に示すように周壁５及び開口部６を形成する。【００１６】  なお、上記における複数枚の周壁片１は、板目板から木取りの際は、平板であって反りはなく、その高さと厚さは同一とするが、その短辺方向である幅を異にしたものも含まれるものである。したがって、周壁片１を、幅と共に全て同一形状としものは、底板３を正多角形状としたものとすればよい。図示したものは全てこの例によるもので示した。【００１７】  そして、その開口部６には図３に示すような嵌着する上蓋７を有して、外観として外方へやや膨らみを有した形状と成ることを特徴とする図１に示すような木製多角形容器をこの考案の基本構成とした。【００１８】  なお、容器として表面側になる周壁片１の一面を、全て板目板にて樹木の芯に近い方である木裏が来るようにして用いるようにしたが、これは木材本来の性質上、時間が経つと自然に裏面側となる木表が縮んで、木裏が伸びて反り返るからである。【００１９】  更に、慣用手段ではあるが、構造上強固とするためと、組み立て作業を容易化するために、周壁片１の長さ方向の一端辺に、段差のある段差当接端面８を形成させて、底板３の周囲端面４に接合させたものとする。【００２０】  加えて、木肌そのものを表出させて、木目模様と共に、手触りなどの感触をよくするために、採用木材の白木の侭として完成させるもよい。
勿論、透明塗料や、カラー塗料を塗布することは自由である。【００２１】  また、組み立てコストを低減させるために、また、釘等鉄類の採用を一切せずに、周壁片１を始として、それぞれの接合手段としては、全て木工用の接着剤を用いて固着させ組み立てることが好ましい。
勿論、前出の先願各例のように、周壁片１の縦長当接端面２に、溝や突条を設けた接合手段としても構わないことは云うまでもなかろう。【００２２】  なお、通常の小物入れ容器とする他に、全体を適当な大きさのものとしてペット用等の骨壺としたものとするのもよい。
【考案の効果】
【００２３】  この考案の木製多角形容器は、外方へやや膨らみを有した多角形状で、しかも木目が表出されたものであるし、加えて白木のものなら触感もよく、全体として温か味のある小物用容器となった。また、自然の木目模様だから、一つとして同じ模様のものはなく容器に個性がある。更に、組立てが少し面倒になるが、周壁片１の幅の異なるものを幾つか組み合わせれば、一層の変化が得られるものとなる。【００２４】  なお、自然木の採用は、特に周壁片１において、木裏を表面側とするなど、木材の持つ自然の性質を利用したから、平板状の侭で３日間も自然放置するのみで、決った方向に反りが得られるから、改めて反りを得るための加工工程を必要としない利点がある。
加えて、底板３を正多角形状とし、複数枚の周壁片１を同一形状のものとすれば製作工程も簡略化される。【００２５】  更に、組み立てには、全て接着剤を用いて固着させたからコストを低減させ得るし、また、釘等鉄類の採用を一切しないから、焼却すれば灰になるだけであり、土中に埋めればやがて朽ちて土に還るから骨壷・骨箱としての転用もできるようになった。
【考案を実施するための最良の形態】
【００２６】  この考案の最良の形態は、先ず材料として感触がよく吸湿性があり、しかも軽い木材として、一般的に木工品用に採用される桐材や杉材を用いればよい。
この考案の場合は、自然放置による反りの発生を利用するので、広葉樹は比較的割れやすいことから針葉樹の方が好ましいと思われる。【００２７】  周壁片１の幅の異なるものを組み合わせたものは工程上僅かだが面倒なので、正多角形のものについて説明する。
正多角とは三角形から十五角形位であろう。これ以上だと樽のようになってしまうから一般的に好まれる奇数角である五角・七角・九角辺りが適当である。この考案では全ての図面を正七角形状の容器として描いた。【００２８】  また、組み立てには、全て接着剤を用いて固着させるから、周壁片１を底板３の周囲端面４に確りと接合させるために、周壁片１の一方の短辺には段差当接端面８を設けて、全ての周壁片１を全周囲端面４に起立させるようにする。【００２９】  その際、全ての周壁片１の縦長当接端面２と、全ての底板３の周囲端面４には接着剤を塗布しておく。さすれば、図２のようになるから、接着剤で固着するまで周囲を輪ゴムなり紐などで締め付けおくのである。【００３０】  上蓋７は、特段指定すべき事柄はないが、図３に示したものは、上下を裏返しした状態で示したものである。したがって、蓋を使用した時の状態は、図１に示すように、蓋をした時に全体として周壁片１の膨らみ曲線に倣った状態としてスッキリさせたものである。
それ故、上蓋７の裏面には、開口部６に内接嵌合するように突出片部９を有したものとした。当然ながら、上蓋７自体を大きくして、開口部６の外周に嵌合させても構わない。
【実施例１】
【００３１】  実施例１を図面に基づき説明すると、図面はいずれも杉材を用いた正七角形状の容器であり、上蓋７を除いた全高を１３０ｍｍ、開口部６径を１３５ｍｍ、周壁片１の幅は、開口部６で６８ｍｍ、中間部で７２ｍｍ、底板３部で６４ｍｍ、厚さを６ｍｍとした。
上蓋７は、径を１４５ｍｍ、高さは縁片部１０を含めて２２ｍｍ、突出片部９は縁片部１０より６ｍｍ突出させたものとした。【００３２】  なお、周壁片１の両側の縦長当接端面２は、厚さ方向へ向け、かつ、内方へ斜めに計算した角度でカットしたものであり、その木口である上端面１１から見た断面は内側が短い台形となっていることは図２を見れば説明するまでもなかろう。【００３３】  その他の実施例としては、図示省略したが、例えば底板３を１辺だけ長くした変形多角形状として、周壁片１の１枚のみを他の周壁片１より幅広とし、そこには文字なり絵を描く場所とするなりするもよい。【００３４】  また、慣用手段だが、底板３の裏に幾つかの突片を均等間隔に設けて脚部としたり、上蓋７の上面に把手を設けたりすることは必要により行えばよい。
【図面の簡単な説明】
【００３５】
【図１】この考案の実施例の斜視図である。（実施例１）
【図２】図１の上蓋を除いた状態で示す斜視図である。（実施例１）
【図３】図１の上蓋を、裏返しにした状態で示す斜視図である。（実施例１）
【図４】図１の周壁片を、内側から見た状態で示す斜視図である。（実施例１）
【図５】図１の実施例の底板を示す斜視図である。（実施例１）
【符号の説明】
【００３６】  １  周壁片
２  縦長当接端面
３  底板
４  周囲端面
５  周壁
６  開口部
７  上蓋
８  段差当接端面
９  突出片部
１０  縁片部
１１  上端面
【図１】
0003138448.tif 000003
【図２】
0003138448.tif 000004
【図３】
0003138448.tif 000005
【図４】
0003138448.tif 000006
【図５】
0003138448.tif 000007